(57)【要約】      （修正有）【課題】片手の不自由な人の自立を助けることを目的として、様々なサイズのプルトップ缶やカップ麺を容易かつ確実に把持し、片手で開缶、開封出来る開缶補助具を提供する。【解決手段】ベース２上に設けられた固定スタンド９に一体的に取り付けられた固定側挟持片１０と、該挟持片に対向して設けられた移動及び固定が自在な可動スタンド１２に一体的に取り付けられた可動側挟持片１７とからなる開缶補助具の前記挟持片の稜線部１７Ａをプルトップ缶５０に当接させて把持し、片手だけでの開缶を可能にする。【選択図】図３
0003174850.tif 000002
【実用新案登録請求の範囲】
【請求項１】
ベース上に設けられた固定スタンドに一体的に取り付けられた固定側挟持片と、該挟持片に対向して設けられた移動及び固定が自在な可動スタンドに一体的に取り付けられた可動側挟持片とからなる開缶補助具の前記挟持片の稜線部をプルトップ缶に当接させて把持し、片手だけでの開缶を可能にすることを特徴とする開缶補助具。
【請求項２】
対向する挟持片の少なくとも片方は、左右の稜線部が中央部より高く形成された横断面であることを特徴とする請求項１に記載の開缶補助具。
【考案の詳細な説明】
【技術分野】
【０００１】
本考案は、プルトップ缶やカップ麺を容易かつ確実に把持し、開缶、開封を片手で出来るようにするプルトップ缶用開缶補助具に関する。
【背景技術】
【０００２】
プルトップ缶やカップ麺の類は、その使い勝手の良さから用途も広がり、生産量も日増しに増加している状況にある。
【考案の概要】
【考案が解決しようとする課題】
【０００３】
しかし、これらはいずれも両手が使えることを前提に作られているものであり、片手が不自由な人は両手が使える人のようには把持出来ないので開缶、開封が極めて難しい。したがって、片手が不自由な人は片手が使えるにも関わらず、誰かに頼まなければ缶ジュースひとつ飲めず、カップ麺ひとつ作れない場合が多く、プルトップ缶やカップ麺の使い勝手の良さが自立の為に生かされていないのが実情である。
【０００４】
本考案は、かかる実情に鑑みてなされたものであって、様々なサイズのプルトップ缶やカップ麺（以下、プルトップ缶と言う）を容易かつ確実に把持し、片手だけで開缶、開封出来るプルトップ缶用開缶補助具（以下、開缶補助具と言う）を提供し、片手の不自由な人の自立を助けることを目的とする。
【課題を解決するための手段】
【０００５】
上記の課題を解決するために本考案になる開缶補助具は、対象とするプルトップ缶に対して十分広く長く形成されたベース上に設けられた固定スタンドに一体的に取り付けられた、左右の稜線部が中央部より高く形成され横断面が凹字状もしくはＶ字状などを呈する固定側挟持片と、該挟持片に対向して設けられた移動及び固定が自在な可動スタンドに一体的に取り付けられた、左右の稜線部が中央部より高く形成され横断面が凹字状もしくはＶ字状などを呈する可動側挟持片とからなり、該稜線部をプルトップ缶に当接させて把持し、片手だけでの開缶を可能にすることを特徴とする。
【０００６】
開缶補助具について詳述すると、前記ベースは、その下面に滑り止めシートを貼付され左右に分かれて配置された１対のベース下板と該下板上にガイドバーを挟んで一体的に載置された１対のベース上板とからなり、該上板のガイドバーに対向する側辺は凹の字状に切除され、左右のベース下板に達する長方形の逃げ溝を形成している。
【０００７】
ベース上の端部中央に載置された固定スタンドは、該ベースに一体的に固定されており、該固定スタンドに一体的に取り付けられた固定側挟持片の下端部には三角形または四角形の切欠きが設けられている。
【０００８】
左右のベース下板に差し渡され、該下板とベース上板とで支えられた丸棒状のガイドバーは、その一端部をビスでベース下板に、他端部を前記固定スタンドで押えられて一体的に固定され、ベース上面より上に出ないように形成されている。
【０００９】
ガイドバーには、その下部に摺動ガイド穴を持つ可動スタンドが前記逃げ溝全長にわたって摺動可能にはめ込まれている。該可動スタンドの固定スタンド側端面には、固定側挟持片に対向して該挟持片と同形状の可動側挟持片が一体的に取り付けられているが、該挟持片の下面とベース上面とは近接しており、これによって可動側挟持片の回転は抑制され、固定側挟持片に対向する姿勢が保たれるようになっている。
【００１０】
また、可動スタンド上部には鬼目ナットが嵌入してあり、当棒を介した蝶ねじの締め付けによってガイドバーの任意の位置に可動スタンドを固定する。
【００１１】
なお、ガイドバーは丸棒状に限定する物ではなく、角棒状であっても問題はない。この場合は摺動ガイド穴を角形とし、これで可動側挟持片の回転を抑制してもいいことは当然である。また、可動スタンドの固定は蝶ねじによらず、プルトップ缶の規格に合わせてガイドバーに開けた止め穴にストップピンを差し込んで行ったり、ガイドバーにラチェットを設け可動スタンドに設けた搖動爪を掛けて固定したりすることも可能で、これらは当然本考案に含まれる所である。
【００１２】
また、把持については、少なくとも３つの稜線部がプルトップ缶に当接すればいいので、固定スタンドにＶ字状の切込を入れ、該切込部と可動スタンドとで直接把持し、挟持片を省略することも考えられ、更に、ガイドバーと可動スタンドをも省略し、前記Ｖ字状固定スタンドとベースに開けた止め穴にストップピンを差し込んで把持することも考えられ、これらも当然本考案に含まれる所である。
【００１３】
なお、開缶補助具を形成する各部位は必要に応じてそれぞれビスで一体化するが、接着法や一体成型法など他の方法で一体化してもいいことも当然である。
【００１４】
開缶補助具は以上のような構成であるが、使用法について以下に述べる。先ず、開缶補助具を平滑なテーブル上に置き上から軽く押え滑らないことを確認する。開缶するプルトップ缶は、固定側挟持片に押し当てながらそのタブがガイドバー上に来るようにベース上に載置する。ついで、可動スタンドを移動させ、可動側挟持片をプルトップ缶に当接させ、その４つの稜線部が形成する凹部にプルトップ缶が十分な深さで嵌り込んでいることを確認後、該稜線部とプルトップ缶との間に多少の隙間を残し、蝶ねじを締めつけ可動スタンドを固定する。これでプルトップ缶の把持は完了する。
【００１５】
開缶は、タブに利き手の指をかけて引き起こした後上蓋を剥離する両手で行う開缶と同じ要領で行えばよく、この時余っている指や手のひらで缶本体上部や固定スタンドもしくは可動スタンドを押えるようにすると開缶がより容易かつ確実に出来る。また、タブの引き起こしと上蓋剥離とは力を入れる方向が逆転するので、必要に応じて治具そのものもしくはプルトップ缶を１８０度回転させれば、開缶を更に容易に行うことが出来る。
【図面の簡単な説明】
【００１６】
【図１】本考案の第1実施形態の斜視図である。
【図２】第１実施形態の上面図である。
【図３】第１実施形態のＡ−Ａ断面矢視図である。
【図４】第１実施形態のＢ−Ｂ断面矢視図である。
【図５】第２実施形態の側面部分図である。
【図６】第３実施形態の上面図である。
【考案を実施するための形態】
【００１７】
以下、本考案の第1実施形態について、詳細に説明する。
【実施例】
【００１８】
以下、図面に基づき本考案の最良の実施形態について述べる。なお、以下に述べる実施の形態は、本考案の最良の具体例であるから、技術的に好ましい限定がなされているが、本考案の範囲は、以下の説明において特に本考案を限定する旨の記載がない限り、これらの態様に限られるものではない。
【００１９】
図1は、本考案の第1実施形態の開缶補助具を示す斜視図である。また、図２は第1実施形態の上面図であり、図３は第1実施形態のＡ−Ａ断面矢視図、図４は第１実施形態のＢ−Ｂ断面矢視図である。図５、６は本考案の第２及び第３実施形態を示す図である。
【００２０】
図1、２、３、４において、本考案になる開缶補助具１は、対象とするプルトップ缶５０に対して十分広く長く形成されたベース２上に設けられた固定スタンド９に一体的に取り付けられた、左右の稜線部１０Ａが中央部より高く形成され横断面が凹字状を呈する固定側挟持片１０と、該挟持片に対向して設けられた移動及び固定が自在な可動スタンド１２に一体的に取り付けられた、左右の稜線部１７Ａが中央部より高く形成され横断面が凹字状を呈する可動側挟持片１７とからなり、該稜線部１０Ａ、１７Ａをプルトップ缶に当接させて把持する。
【００２１】
前記ベース２は、その下面に滑り止めシート８を貼付され左右に分かれて配置された１対のベース下板３と該下板上にガイドバー６を挟んで一体的に載置された１対のベース上板４とからなり、該上板のガイドバーに対向する側辺は凹の字状に切除され、左右のベース下板に達する長方形の逃げ溝５を形成している。
【００２２】
ベース２上の端部中央に載置された固定スタンド９は、該ベースに一体的に固定されており、該固定スタンドに一体的に取り付けられた固定側挟持片１０の下端部には三角形または四角形の切欠き１１が設けられている。
【００２３】
左右のベース下板３に差し渡され、該下板とベース上板４とで支えられた丸棒状のガイドバー６は、その一端部をビス７でベース下板に、他端部を固定スタンド９で押えられて一体的に固定され、ベース２上面より上に出ないように形成されている。
【００２４】
ガイドバー６には、その下部に摺動ガイド穴を持つ可動スタンド１２が前記逃げ溝５全長にわたって摺動可能にはめ込まれている。該可動スタンドの固定スタンド側端面には、固定側挟持片１０に対向して該挟持片と同形状の可動側挟持片１７が一体的に取り付けられているが、該挟持片の下面とベース２上面とは近接しており、これによって可動側挟持片の回転は抑制され、固定側挟持片に対向する姿勢が保たれるようになっている。
【００２５】
また、可動スタンド１２上部には鬼目ナット１４が嵌入してあり、当棒１５を介した蝶ねじ１６の締め付けによってガイドバー６の任意の位置に可動スタンドを固定する。
【００２６】
なお、ガイドバー６は丸棒状に限定する物ではなく、角棒状であっても問題はない。この場合は摺動ガイド穴を角形とし、これで可動側挟持片１７の回転を抑制してもいいことは当然である。また、可動スタンド１２の固定は蝶ねじ１６によらず、図５に示すように、プルトップ缶５０の規格に合わせてガイドバー６に開けた止め穴１９にストップピン１８を差し込んで行ったり、特に図示はしないがガイドバーにラチェットを設け可動スタンドに設けた搖動爪を掛けて固定したりすることも可能で、これらは当然本考案に含まれる所である。
【００２７】
また、把持については、少なくとも３つの稜線部がプルトップ缶５０に当接すればいいので、図６に示すように、固定スタンド９にＶ字状の切込２０を入れ、該切込部と可動スタンド１２とで直接把持し、挟持片１０、１７を省略することも考えられ、更に、ガイドバー６と可動スタンド１２をも省略し、前記Ｖ字状固定スタンドとベースに開けた止め穴にストップピンを差し込んで把持することも考えられ、これらも当然本考案に含まれる所である。
【００２８】
なお、開缶補助具を形成する各部位は必要に応じてそれぞれビス７で一体化するが、接着法や一体成型法など他の方法で一体化してもいいことも当然である。
【００２９】
開缶補助具１は以上のような構成であるが、使用法について以下に述べる。
【００３０】
先ず、開缶補助具１を平滑なテーブル上に置き上から軽く押え、滑らないことを確認する。開缶するプルトップ缶５０は、固定側挟持片１０に押し当てながらそのタブ５１がガイドバー６上に来るようにベース２上に載置する。ついで、可動スタンド１２を移動させ、可動側挟持片１７をプルトップ缶に当接させ、その４つの稜線部１０Ａ、１７Ａが形成するそれぞれの凹部にプルトップ缶が十分な深さＣで嵌り込んでいることを確認後、該稜線部とプルトップ缶との間に多少の隙間を残し、蝶ねじ１６を締めつけ可動スタンド１２を固定する。これでプルトップ缶の把持は完了する。
【００３１】
開缶は、タブ５１に利き手の指をかけて引き起こした後上蓋を剥離する両手で行う開缶と同じ要領で行えばよく、この時余っている指や手のひらで缶本体上部５４や固定スタンド９もしくは可動スタンド１２を押えるようにする。なお、タブの引き起こしと上蓋剥離とは力を入れる方向が逆転するので、必要に応じて開缶補助具１そのものもしくはプルトップ缶５０を１８０度回転させて行う。
【００３２】
本考案になる開缶補助具１は、以上詳細に述べて来たような構成であるので、本考案によれば、次のような効果を得ることが出来る。
【００３３】
開缶するプルトップ缶を、固定側及び可動側挟持片で挟み込み、可動スタンドを蝶ねじで固定すれば把持が完了するので開缶の前段取りが簡単かつ容易である。
【００３４】
固定側及び可動側挟持片の下端部には三角形または四角形の切欠きが設けてあるので、プルトップ缶の底蓋が胴部や上蓋より大径であっても確実に把持出来る。
【００３５】
可動スタンドが任意の位置で固定できるので、様々なサイズのプルトップ缶を把持出来る。
【００３６】
プルトップ缶が各挟持片の凹部に十分な深さで嵌り込んでいるので、可動スタンドの位置決めはおおよそで良く、また、誤って缶を傾げても缶自体の弾力性と相まって復元力が働くので倒れることがない。
【００３７】
開缶は、タブに利き手の指をかけて引き起こした後上蓋を剥離する両手で行う開缶と同じ要領で行えばよく、この時余っている指や手のひらで缶本体上部や固定スタンドもしくは可動スタンドを押えるようにすれば、片手だけでより容易かつ確実に開缶出来る。
【００３８】
また、タブの引き起こしと上蓋剥離とは力を入れる方向が逆転するので、開缶補助具そのものを１８０度回転して開缶を容易にすることも考えられるが、プルトップ缶がルーズに把持されているので缶を回せば１８０度回転そのものが容易に出来、腕や手首に余計な負担をかけることなく開缶出来る。
【００３９】
ベースが対象とするプルトップ缶に対して十分広く長く形成されている上、ベース下面に滑り止めシートが添付してあるので、開缶時に回転トルクが働いても転倒しにくくかつ滑りにくいので、確実に開缶できる。
【００４０】
プルトップ缶はルーズに把持すればいいので、底蓋が胴部や上蓋より小径のプルトップ缶の場合、同サイズの缶は固定された可動スタンドをセットし直すことなく開缶出来る。
【００４１】
本考案になる開缶補助具は上記のような特徴を持っているので、プルトップ缶と類似形状のカップ麺の開封にそのまま適用できる。
【産業上の利用可能性】
【００４２】
本考案になる開缶補助具は、様々なサイズのプルトップ缶やカップ麺を容易かつ確実に把持し、片手だけで開缶、開封出来るので、片手の不自由な人の自立を助けることが出来る。
【符号の説明】
【００４３】
１．開缶補助具
２．ベース
３．ベース下板
４．ベース上板
５．逃げ溝
６．ガイドバー
７．ビス
８．滑り止めシート
９．固定スタンド
１０．固定側挟持片
１０Ａ．稜線部
１１．切欠き
１２．可動スタンド
１３．穴
１４．鬼目ナット
１５．当棒
１６．蝶ねじ
１７．可動側挟持片
１７Ａ．稜線部
１８．ストップピン
１９．止め穴
２０．切込
５０．プルトップ缶
５１．タブ
５２．胴部
５３．底蓋
５４．缶本体上部
Ｃ．深さ
【図１】
0003174850.tif 000003
【図２】
0003174850.tif 000004
【図３】
0003174850.tif 000005
【図４】
0003174850.tif 000006
【図５】
0003174850.tif 000007
【図６】
0003174850.tif 000008